(57)【要約】    【課題】  撮影者が意図する被写体の細部の確認を速やかに行うことが可能である撮像装置を提供する。    【解決手段】  撮影画像を拡大して再生可能な表示手段と、拡大表示される拡大領域を切り換える拡大領域切り換え手段と、拡大再生モード選択時に表示される拡大領域と表示される順序を設定する設定手段と、前記設定手段により設定され拡大領域の領域情報と表示順序情報を記憶可能な記憶手段とを有する。拡大再生モード選択時に拡大領域切り換え手段により切り替えが行われた際には、前記記憶手段に記憶されている拡大領域情報、表示順序情報に応じて、順次表示する。【選択図】      図１
2005150964.tif 000002
【特許請求の範囲】
【請求項１】
撮影画像を拡大して再生可能な表示手段を備えた撮像装置において、拡大再生モード選択時に初期位置として表示される拡大領域を設定する設定手段と、前記設定手段により設定された初期位置を記憶する記憶手段とを有し、拡大再生モード選択時に前記記憶手段に初期位置として記憶されている拡大領域を表示することを特徴とする撮像装置。
【請求項２】
撮影画像を拡大して再生可能な表示手段と、拡大表示される拡大領域を切り換える拡大領域切り換え手段とを備えた撮像装置において、拡大再生モード選択時に表示される拡大領域と表示される順序を設定する設定手段と、前記設定手段により設定された拡大領域の領域情報と表示順序情報を記憶可能な記憶手段とを有し、拡大再生モード選択時に拡大領域切り替え手段により切り替えが行われた際には、前記記憶手段に記憶されている拡大領域情報、表示順序情報に応じて、順次表示することを特徴とする撮像装置。
【請求項３】
撮影画像を拡大して再生可能な表示手段と複数の測距点を持つ自動焦点調節手段を備えた撮像装置において、拡大再生モード時に合焦位置に相当する測距点を含む領域を初期位置として表示し、拡大領域切り換え手段により切り替えが行われた際には、合焦位置での測距値との差が小さい測距値を有する測距点を含む拡大領域を順次表示していくことを特徴とする撮像装置。
【請求項４】
前記測距値は、デフォーカス量であることを特徴とする請求項３記載の撮像装置。
【請求項５】
前記測距値は、被写体までの絶対距離情報であることを特徴とする請求項３記載の撮像装置。
【請求項６】
撮影画像を拡大して再生可能な表示手段と拡大再生モード時の再生初期位置を設定可能な設定手段を有し、拡大再生モード選択時に撮影画像の切替が実行された場合に、切替前のコマで表示されている拡大領域を保持するか、予め設定されている初期位置を表示するかを選択可能である選択手段を有することを特徴とする撮像装置。
【請求項７】
画像のうち所定領域を選択可能な選択手段と、前記選択手段によって前回選択された所定領域を記憶する記憶手段と、前記選択手段が初期に選択する所定領域を前記記憶手段に記憶された所定領域とするように制御する制御手段とを有することを特徴とする撮像装置。
【発明の詳細な説明】
【技術分野】
【０００１】
本発明は、電子スチルカメラに関し、特に、拡大再生モードにおける操作性を改善したものである。
【背景技術】
【０００２】
本発明の対象となる従来技術を以下に説明する。
【０００３】
従来、撮像素子を用いて光学系から入射する被写体像を撮影し、その結果得られた画像信号を信号処理して画像情報に変換する。その画像情報をフラッシュメモリを内蔵したメモリカードやハードディスクからなる記録手段に記録するようにした電子スチルカメラが各種提案されている。このようなカメラの中には撮影した画像をその場で再生できるようにカメラ本体にモニタを内蔵しているものがあり、撮影画像を表示したり、１画面に複数の撮影画像を表示したりすることができる。
【０００４】
ところが、カメラ本体に内蔵されるモニタはほとんどの場合小型であり、カメラ本体に内蔵されるモニタでは撮影画像の細部の確認を行うことができないという問題があった。そこで、特許文献１で開示の「電子スチルカメラ装置」では、少ない画素数のモニタを用いても細部の確認を可能とするために撮影後、撮影画像を小型モニタに表示する。そして表示された画像の一部分を撮影者が指定することでその指定部分を小型モニタに拡大表示するものが提案されている。
【０００５】
また、特許文献２においては、複数の測距点に対して、撮影後に合焦した測距点付近の画像を拡大表示するものが提案されている。
【特許文献１】特開平５−２４４４７１号公報
【特許文献２】特開２０００−１２５１７８号公報
【発明の開示】
【発明が解決しようとする課題】
【０００６】
しかしながら、上述の特許文献１の従来装置ではモニタにてピント調整を行う場合、撮影者がいちいち撮影画像を表示させ、さらに拡大したい場所を指定しなければならなかった。また、特許文献２においても、合焦位置のピント確認は速やかに行うことができるが、合焦位置以外に存在する被写体のボケ等の細部を確認するためには、確認を行いたい場所を撮影者がいちいち、領域を指定し表示位置を移動しなければならなかった。
【０００７】
本発明は上述の事情に鑑みてなされたものであり、本発明の目的は、撮影者が意図する被写体の細部の確認を速やかに行うことが可能である撮像装置を提供することにある。
【課題を解決するための手段】
【０００８】
上記課題を解決する為、請求項１記載の発明は、撮影画像を拡大して再生可能な表示手段を備えた撮像装置において、拡大再生モード選択時に初期位置として表示される拡大領域を設定する設定手段と、前記設定手段により設定された初期位置を記憶する記憶手段とを有し、拡大再生モード選択時に前記記憶手段に初期位置として記憶されている拡大領域を表示することを特徴とする。
【０００９】
請求項２記載の発明は、撮影画像を拡大して再生可能な表示手段と、拡大表示される拡大領域を切り換える拡大領域切り換え手段とを備えた撮像装置において、拡大再生モード選択時に表示される拡大領域と表示される順序を設定する設定手段と、前記設定手段により設定された拡大領域の領域情報と表示順序情報を記憶可能な記憶手段とを有し、拡大再生モード選択時に拡大領域切り替え手段により切り替えが行われた際には、前記記憶手段に記憶されている拡大領域情報、表示順序情報に応じて、順次表示することを特徴とする。
【００１０】
請求項３記載の発明は、撮影画像を拡大して再生可能な表示手段と複数の測距点を持つ自動焦点調節手段を備えた撮像装置において、拡大再生モード時に合焦位置に相当する測距点を含む領域を初期位置として表示し、拡大領域切り換え手段により切り替えが行われた際には、合焦位置での測距値との差が小さい測距値を有する測距点を含む拡大領域を順次表示していくことを特徴とする。
【００１１】
請求項４記載の発明は、請求項３記載の測距値は、被写体までの絶対距離情報であることを特徴とする。
【００１２】
請求項５記載の発明は、請求項３記載の測距値は、デフォーカス量であることを特徴とする。
【００１３】
請求項６記載の発明は、撮影画像を拡大して再生可能な表示手段と拡大再生モード時の再生初期位置を設定可能な設定手段を有し、拡大再生モード選択時に撮影画像を順次表示するコマ送りが実行された場合に、前コマで表示されている拡大領域を保持するか、予め設定されている初期位置を表示するかを選択可能である選択手段を有することを特徴とする。
【００１４】
請求項７記載の発明は、画像のうち所定領域を選択可能な選択手段と、前記選択手段によって前回選択された所定領域を記憶する記憶手段と、前記選択手段が初期に選択する所定領域を前記記憶手段に記憶された所定領域とするように制御する制御手段とを有することを特徴とする。
【発明の効果】
【００１５】
以上説明したように本発明の第一および、第二の実施例によれば、この種のカメラにおいて、拡大再生モード時の初期位置および、再生される領域、表示順序を撮影者が任意に設定することが可能となり、また、確認不要の領域を表示の循環から排除することも可能となるので、撮影者が意図する構図上の所定領域の確認を速やかに行うことが可能となる。また、本発明の第三のの実施例によれば、拡大再生モード時に最初に再生される初期位置は、合焦位置に対応する測距点を含む領域となり、また、拡大領域の切替えにより、合焦位置に近い領域から順次表示されるので、合焦位置でのピントや、合焦位置以外の被写体のボケ具合の確認を行いたい場合には速やかに確認することが可能となる。また、本発明の第四の実施例によれば、拡大再生モードのコマ送り時に前コマの拡大領域を保持するか、予め設定されている拡大領域を表示するかを設定することが可能となり、撮影者の意図に応じたコマ送り表示が可能となる。したがって、使用性、取扱性に優れ、使い勝手の向上した撮像装置を実現することができる。
【発明を実施するための最良の形態】
【００１６】
以下、本発明を図示の実施の形態に基づいて詳細に説明する。
【実施例１】
【００１７】
図１は、本実施の形態における撮像装置としての電子スチルカメラの構成例を示すブロック図である。図において、１は撮影レンズ、２は撮影レンズを介して被写体像を受光し、その被写体画像を光電変換するためのたとえばＣＭＯＳイメージセンサ等でなる撮像素子、３は撮像素子２から出力される信号をデジタル信号に変換する信号処理回路、４は画像データを一時的に格納するバッファメモリであり、５はバッファメモリ４に格納されている画像データを所定の映像信号に変換するための画像処理回路である。
【００１８】
また、６は映像信号を記録媒体に記録するための記録制御回路、７は画像を記録するメモリカードであり、８は合焦位置に撮影レンズを駆動するための駆動回路、９は信号処理回路３、画像処理回路５、記録回路６等を制御するための制御回路である。
【００１９】
また、１０は画面内にある複数の測距点を用いて自動で焦点を検出するためのＡＦ回路であり、本発明の自動焦点調節手段に該当する。１１は撮影画像の露出を決定するためのＡＥ回路である。１２は電子ダイヤルスイッチであり、本発明の拡大領域の切り換え手段に相当する。１３は、調整値やカメラの各種設定を記憶する記憶手段である。１４は拡大再生スイッチであり、再生モード時に表示画像を拡大再生するスイッチである。
【００２０】
また、１５は撮影された画像を再生するための再生回路、１６は撮影画像の表示や各種設定項目を表示するためのＬＣＤモニタであり、本発明の表示手段に該当する。１７はＳＥＴスイッチであり、各種モードの確定に使用するスイッチである。１８はレリーズスイッチである。
【００２１】
図２は、上記の構成でなる電子スチルカメラの撮影に係わる動作を示すフローチャートである。つぎに、この電子スチルカメラの撮影動作を説明する。ステップＳ１００において、動作を開始する。ステップＳ１０１において、図示しない電源スイッチで電源を投入することでカメラが起動すると、ステップＳ１０２においてバッテリチェックやレンズが装着されているかの確認等の初期動作が行われる。
【００２２】
つぎに、ステップＳ１０３において、レリーズスイッチ１８の第１ストロークスイッチＳＷ１（以下、単にＳＷ１という）がオンすると、ステップＳ１０４において、制御回路９によってＡＥ回路１１が動作して測光動作が行われ露出値が求められる。次に、ステップＳ１０５において、制御回路９によってＡＥ回路１０が動作して測距動作が行われる。ステップＳ１０６において、撮影準備完了後、ＳＷ１がオン状態に維持されている場合、合焦位置および露出値データを保持したまま、レリーズスイッチ１８の第２ストロークスイッチＳＷ２（以下、単にＳＷ２という）の投入待機状態となり、ステップＳ１０７へ進む。一方、ＳＷ１がオフ状態であるとステップＳ１０３へ進む。
【００２３】
ステップＳ１０７において、ＳＷ２がオンになったとき、ステップＳ１０８にて撮影動作が行われる。ステップＳ１０８において、ＳＷ２がオンになると、制御回路９からの信号で図示しないシャッタ機構の開閉により被写体が撮像素子２において露光され、この像が光電変換される。そして、信号処理回路３でデジタルデータに変換された後バッファメモリ４へ一時的に格納される。ステップＳ１０９において、バッファメモリ４に格納されているデータを画像処理回路５において所定の画像データに変換し、そして記録回路６を用いてメモリカード７に記録する。ステップＳ１１０において動作を終了する。
【００２４】
図３は、上記の構成でなる電子スチルカメラの拡大再生時の表示初期位置の設定に係わる動作を示すフローチャートである。つぎに、この電子スチルカメラの拡大再生時の表示初期位置設定動作を説明する。
【００２５】
不図示のモード設定ボタンにて、拡大初期位置の設定モードが設定されると、ステップＳ２００にて初期位置の設定動作がスタートし、ＬＣＤモニタ１６に拡大領域設定画面が表示される。拡大領域設定画面を図４に示す。図４は拡大倍率３倍とした場合の設定可能領域である。ステップＳ２０１において、拡大領域を移動させる電子ダイヤルスイッチ１２が押されたか否かを判定する。電子ダイヤルスイッチ１２が押されなかった場合にはステップＳ２０３に進む。電子ダイヤルスイッチ１２が押された場合にはステップＳ２０２に進み、電子ダイヤルスイッチ１２の時計方向への１クリックごとに、図４に示す拡大領域の指定位置がＡ５→Ａ６→Ａ７→Ａ８→Ａ９→Ａ１→Ａ２→Ａ３→Ａ４→Ａ５・・の順に順次切り替わる。このとき、指定されている領域は枠の表示等により、ＬＣＤモニタ１６により確認することができる。また、電子ダイヤルスイッチ１２の反時計方向への１クリックごとに、図４に拡大表示設定時のＡ５→Ａ４→Ａ３→Ａ２→Ａ１→Ａ９→Ａ８→Ａ７→Ａ６→Ａ５・・の順に順次切り替わる。次に、ステップＳ２０３において、ＳＥＴスイッチ１７が押されたか否かを判定する。ＳＥＴスイッチ１７が押されていない場合には、ステップＳ２０５に進む。ＳＥＴスイッチ１７が押された場合にはステップＳ２０４に進み、現在指定されている拡大領域の位置情報を初期位置として記憶手段１３に記憶する。次に、ステップＳ２０５に進み、不図示のモード設定スイッチにおいて、拡大初期位置設定モードがオフされたか否かを判定する。オフされなかった場合には、ステップＳ２０１へ進む。オフされた場合には、ステップＳ２０６に進み拡大領域の初期位置設定動作を終了する。上記のフローにより、拡大再生領域の初期位置が設定される。
【００２６】
図５は、電子スチルカメラの再生に係わる動作を示すフローチャートである。つぎに、この電子スチルカメラの再生動作を説明する。
【００２７】
不図示のモード設定スイッチが押され再生モードが設定されると、ステップＳ３００により再生動作がスタートする。ステップＳ３０１によりメモリカード７に記録されている画像データが読み出され、画像処理回路５を介してバッファメモリ４に所定のフォーマットで展開される。ステップＳ３０２においてバッファメモリに展開されている画像データが再生回路１５に送られ、ＬＣＤモニタ１６に表示できる信号に変換されＬＣＤモニタに表示が行われる。
【００２８】
次にステップＳ３０３に進み、拡大スイッチ１４が押されていない場合はステップＳ３０５に進み画像の再生を継続する。拡大再生スイッチ１４が押されている場合は、ステップＳ３０４に進み図６に示すフローチャートに沿って拡大再生表示を行う。ステップＳ３０５において、動作を終了する。
【００２９】
次に、拡大再生モードにおける再生動作を、図６のフローチャートを用いて説明する。ステップＳ４００において、動作を開始する。ステップＳ４０１において、図３のフローで初期位置として設定された拡大領域をバッファメモリ４に格納されている画像データから所定の大きさで切り出す。切り出された画像データはステップＳ４０２において再生回路１５によりＬＣＤモニタ１６に表示できる信号に変換され、ステップＳ４０３において拡大画像がＬＣＤモニタ１６に表示される。例えば、図４における拡大領域Ａ３が初期位置として設定されている場合には、画像データのＡ３に対応する領域がＬＣＤモニタ１６に拡大初期位置として表示される。次にステップＳ４０４において電子ダイヤルスイッチ１２が押されたか否かの判定が行われ、電子ダイヤルスイッチ１２が押された場合にはステップＳ４０５に進み、電子ダイヤルスイッチ１２の時計方向への１クリックごとに、表示指定位置情報が、初期位置をから順次  Ａ３→Ａ４→Ａ５→Ａ６→Ａ７→Ａ８→Ａ９→Ａ１→Ａ２→・・の様に切り替わり、ステップＳ４０１、Ｓ４０２、Ｓ４０３と進み、指定領域がＬＣＤモニタ１６に表示される。また、電子ダイヤルスイッチ１２の反時計方向への１クリックごとに、Ａ３→Ａ２→Ａ１→Ａ９→Ａ８→Ａ７→Ａ６→Ａ５→Ａ４→・・の様に切り替わり、同様に指定領域がＬＣＤモニタ１６に表示される。電子ダイヤルスイッチが押されない場合は、ステップＳ４０６に進み、拡大スイッチ１４により、拡大再生モードの終了が選択されたか否かの判定が行われ、終了が選択されていない場合にはステップＳ４０４に進み、終了が選択された場合にはステップＳ４０７に進み拡大再生動作を終了する。
【００３０】
以上の動作により、拡大再生モード時に最初に再生される初期位置を撮影者が意図する位置に任意に設定、記憶しておくことができるので、撮影者が意図する被写体の細部の確認を速やかに行うことが可能となる。
【実施例２】
【００３１】
第２の実施の形態における電子スチルカメラは、図１の実施形態の場合と実質的には同様の構成である。
【００３２】
図７は、本実施例の電子スチルカメラの拡大再生モード時の拡大領域の再生位置設定動作を示すフローチャートである。つぎに、この電子スチルカメラの拡大領域再生位置の設定動作を説明する。不図示のモード設定ボタンにて、拡大再生位置の設定モードが設定されるとステップＳ５００において、設定動作がスタートし、ＬＣＤモニタ１６に拡大再生位置設定画面が表示される。拡大再生位置設定画面を図８（ａ）に示す。図８（ａ）は拡大倍率３倍とした場合の設定可能領域である。ステップＳ５０１において、拡大再生位置として初期位置Ａ１が指定され、拡大再生位置の記憶数Ｎに１を設定する。つぎに、ステップＳ５０２において電子ダイヤルスイッチ１２が押されたか否かの判定が行われ、電子ダイヤルスイッチ１２が押されなかった場合にはステップＳ５０４に進む。電子ダイヤルスイッチ１２が押された場合にはステップＳ５０３に進み、電子ダイヤルスイッチ１２の時計方向への１クリックごとに、拡大再生位置情報が、初期位置から順次  Ａ１→Ａ２→Ａ３→Ａ４→Ａ５→Ａ６→Ａ７→Ａ８→Ａ９→Ａ１・・の様に切り替わる。また、電子ダイヤルスイッチ１２の反時計方向への１クリックごとに、Ａ１→Ａ９→Ａ８→Ａ７→Ａ６→Ａ５→Ａ４→Ａ３→Ａ２→Ａ１・・の様に切り替わる。ただし、循環の際、後述するステップＳ５０５にて拡大位置が記憶されている領域に関しては循環の際にスキップされる。電子ダイヤルスイッチ１２が押されない場合は、ステップＳ５０４に進み、現在指定されている領域を拡大再生モード時に表示する領域として記憶するか否かの判定が行われる。すなわち、ＳＥＴスイッチ７が押されたか否かの判定が行われる。ＳＥＴスイッチ７が押されなかった場合にはステップＳ５０９に進む。ＳＥＴスイッチ７が押された場合にはステップＳ５０５に進み、現在指定されている領域を表示順序がＮ番目の表示領域Ｂ（Ｎ）として記憶手段記憶１３に記憶する。そして、Ｎを１加算した数に更新する。次に、ステップＳ５０６に進み、不図示の削除ボタンにより、現在記憶されている表示領域の中で表示順序が最も遅い、すなわち（Ｎ−１）番目の表示領域を削除するか否かの判定が行われる。削除が選択された場合には、ステップＳ５０７に進み（Ｎ−１）番目の表示領域情報Ｂ（Ｎ−１）が削除され、Ｎが１減算された値に更新される。削除が選択されなかった場合にはステップＳ５０８に進む。次に、ステップＳ５０８において表示領域の記憶数が、記憶数の上限Ｎｍａｘを超えていないか否かの判定が行われる。例えば、図８の例においてはＮｍａｘ＝９となる。ここで、Ｎｍａｘを超えている場合にはステップＳ５１０に進み動作を終了する。Ｎｍａｘを超えていない場合には、ステップＳ５０９に進み、不図示のモード設定ボタンにより、拡大再生位置の設定モードの終了が選択されたか否かの判定が行われ、終了が選択されていない場合にはステップＳ５０２に進み、終了が選択された場合にはステップＳ５１０に進み動作を終了する。
【００３３】
次に、拡大再生モードにおける再生動作を、図９のフローチャートを用いて説明する。
【００３４】
ステップＳ６００において、動作を開始する。ステップＳ６０１において、表示順序情報Ｎに初期位置を示す０を設定する。ステップＳ６０２において、表示順序がＮ番目として記憶されている拡大領域Ｂ（Ｎ）をバッファメモリ４に格納されている画像データから所定の大きさで切り出す。ここで、Ｂ（Ｎ）の設定例を図８（ｂ）に示す。図８（ｂ）では、表示領域として、Ｂ（１）＝Ａ５、Ｂ（２）＝Ａ３、Ｂ（３）＝Ａ１、Ｂ（４）＝Ａ７、Ｂ（５）＝Ａ９として記憶されている。切り出された画像データはステップＳ６０３において再生回路１５によりＬＣＤモニタ１６に表示できる信号に変換され、ステップＳ６０４において拡大画像がＬＣＤモニタ１６に表示される。次にステップＳ６０５において電子ダイヤルスイッチ１２が押されたか否かの判定が行われ、電子ダイヤルスイッチ１２が押されなかった場合にはステップＳ６０６に進む。電子ダイヤルスイッチ１２が押された場合にはステップＳ６０７に進み、電子ダイヤルスイッチ１２の回転方向が時計廻りであるか否かの判定が行われる。時計回りである場合は、ステップＳ６１１に進む。ステップＳ６１１において、表示順序Ｎが記憶手段１３に記憶されている拡大領域の個数Ｎｍと等しいか否かの判定が行われ、等しくない場合にはステップＳ６１２に進み、表示順序Ｎの値が１加算されて更新され、ステップＳ６０２、Ｓ６０３、Ｓ６０４により、新たな表示順序Ｎに対応する拡大領域がＬＣＤモニタ１６に表示される。すなわち、表示されていた拡大領域の次の順番に記憶されていた拡大領域が表示される。ステップＳ６１１においてＮ＝Ｎｍである場合には、ステップＳ６０１に進み表示順序Ｎに１をセットする。すなわち、Ｎ＝Ｎｍである場合には、記憶しているすべての拡大領域を表示したことになるので、拡大領域の初期位置を示す、順序Ｎ＝１を設定する。
【００３５】
ステップＳ６０７において、反時計廻りであると判定された場合には、ステップＳ６０８へ進み、Ｎ＝１であるか否かの判定が行われる。Ｎ＝１でない場合には、ステップＳ６０９に進み表示順序情報Ｎの値が１減算された値に更新され、ステップＳ６０２、Ｓ６０３、Ｓ６０４により、新たな表示順序Ｎに対応する拡大領域がＬＣＤモニタ１６に表示される。ステップＳ６０８においてＮ＝１である場合には、ステップＳ６１０に進み表示順序ＮにＮｍをセットする。すなわち、Ｎ＝１である場合には、現在表示されている拡大領域が記憶手段１３に記憶されている表示領域の初期位置に対応するので、表示されていた拡大領域よりも表示順序Ｎが小さい拡大領域は存在せず、記憶されている表示順序情報で最も大きい値であるＮ＝Ｎｍを設定する。
【００３６】
ステップＳ６０５において、電子ダイヤルスイッチ１２が押されない場合は、ステップＳ６０６に進み、不図示のモード設定ボタンにより、拡大再生モードの終了が選択されたか否かの判定が行われ、終了が選択されていない場合にはステップＳ６０５に進み、終了が選択された場合にはステップＳ６１３に進み拡大再生動作を終了する。以上の動作により、拡大再生モード時に再生される領域および表示順序を撮影者が任意に設定することが可能となり、また、確認不要の領域を表示の循環から排除することも可能となるので、撮影者が意図する構図上の所定領域の確認を速やかに行うことが可能となる。
【実施例３】
【００３７】
第３の実施の形態における電子スチルカメラは、図１の実施形態の場合と実質的には同様の構成である。
【００３８】
図９は、本実施例の電子スチルカメラの撮影に係わる動作を示すフローチャートである。つぎに、この電子スチルカメラの撮影動作を説明する。ステップＳ７００において、動作を開始する。ステップＳ７０１において、図示しない電源スイッチで電源を投入することでカメラが起動すると、ステップＳ７０２においてバッテリチェックやレンズが装着されているかの確認等の初期動作が行われる。
【００３９】
つぎに、ステップＳ７０３において、レリーズスイッチ１８の第１ストロークスイッチＳＷ１がオンすると、ステップＳ７０４において、制御回路９によってＡＥ回路１１が動作して測光動作が行われ露出値が求められる。次に、ステップＳ７０５において、制御回路９によってＡＦ回路１０が動作して測距動作が行われる。ここで、図１１は、測距点Ｐ１、Ｐ２、Ｐ３、Ｐ４、Ｐ５および、拡大再生モード時の拡大領域Ａ１、Ａ２、Ａ３、Ａ４、Ａ５、Ａ６、Ａ７、Ａ８、Ａ９を示す図であり、ステップＳ７０５においては、各測距点Ｐ１、Ｐ２、Ｐ３、Ｐ４、Ｐ５に関してそれぞれデフォーカス量が算出される。次に、ステップＳ７０６においてステップＳ７０５のＡＦ回路による測距動作により決定された合焦位置、及び、各測距点Ｐ１、Ｐ２、Ｐ３、Ｐ４、Ｐ５でのデフォーカス量Ｄ１、Ｄ２、Ｄ３、Ｄ４、Ｄ５を記憶手段１３に記憶する。ここで、例えば、Ｐ２が合焦位置である場合には、当然ながらデフォーカス量の絶対値は｜Ｄ２｜が最小となる。
【００４０】
ステップＳ７０７において、撮影準備完了後、ＳＷ１がオン状態に維持されている場合、合焦位置および露出値データを保持したまま、レリーズスイッチ１８の第２ストロークスイッチＳＷ２の投入待機状態となり、ステップＳ７０８へ進む。一方、ＳＷ１がオフ状態であるとステップＳ７０３へ進む。
【００４１】
ステップＳ７０８において、ＳＷ２がオンになったとき、ステップＳ７０９にて撮影動作が行われる。ステップＳ７０９において、ＳＷ２がオンになると、制御回路９からの信号で図示しないシャッタ機構の開閉により被写体が撮像素子２において露光され、この像が光電変換される。そして、信号処理回路３でデジタルデータに変換された後バッファメモリ４へ一時的に格納される。ステップＳ７１０において、バッファメモリ４に格納されているデータを画像処理回路５において所定の画像データに変換し、そして記録回路６を用いてメモリカード７に記録する。この際、ステップＳ７０６において記憶手段１３に記憶した、各測距点での測距点情報に関しても画像データに関連付けてメモリカードに記憶する。ここで、画像データに記憶する測距点情報は、各測距点でのデフォーカス量をそれぞれ比較して合焦位置からの順序情報Ｍを記憶する。例えば、Ｐ２が合焦位置であり、デフォーカス量の絶対値が｜Ｄ２｜＜｜Ｄ１｜＜｜Ｄ５｜＜｜Ｄ３｜＜｜Ｄ４｜である場合には、測距点Ｐｉと測距情報Ｍとの関係Ｒ：Ｐｉ−Ｍは、Ｐ１−２、Ｐ２−１、Ｐ３−４、Ｐ４−５、Ｐ５−３となる。
【００４２】
ステップＳ７１１において動作を終了する。
【００４３】
次に、拡大再生モードにおける再生動作を、図１１のフローチャートを用いて説明する。
【００４４】
ステップＳ８００において、動作を開始する。ステップＳ８０１において、測距情報Ｍに合焦位置に対応する１を設定する。ステップＳ８０２において、測距点情報Ｍに対応する測距点Ｐｉを含む拡大領域Ｚ（Ｍ）をバッファメモリ４に格納されている画像データから所定の大きさで切り出す。ここで、Ｚ（Ｍ）は各測距点Ｐｉと測距情報Ｍとの関係が、Ｐ１―２、Ｐ２―１、Ｐ３―４、Ｐ４―５、Ｐ５―３である場合には、図１０で示す拡大領域において、Ｚ（１）＝Ａ４、Ｚ（２）＝Ａ５、Ｚ（３）＝Ａ８、Ｚ（４）＝Ａ６、Ｚ（５）＝Ａ２
となる。切り出された画像データはステップＳ８０３において再生回路１５によりＬＣＤモニタ１６に表示できる信号に変換され、ステップＳ８０４において拡大画像がＬＣＤモニタ１６に表示される。次にステップＳ８０５において電子ダイヤルスイッチが押されたか否かの判定が行われ、電子ダイヤルスイッチ１２が押されなかった場合にはステップＳ８０６に進む。電子ダイヤルスイッチ１２が押された場合にはステップＳ８０７に進み、電子ダイヤルスイッチ１２の回転方向が時計廻りであるか否かの判定が行われる。時計回りである場合は、ステップＳ８１１に進む。ステップＳ８１１において、順序情報ＭがＭ＝５であるか否かの判定が行われ、等しくない場合にはステップＳ８１２に進み、順序情報Ｍの値が１加算された値に更新され、ステップＳ８０２、Ｓ８０３、Ｓ８０４により、新たな順序情報Ｍに対応する拡大領域がＬＣＤモニタ１６に表示される。すなわち、表示されていた拡大領域の次に合焦位置での測距情報との差が小さい測距点を含む拡大領域が表示される。ステップＳ８１１においてＭ＝５である場合には、ステップＳ８０１に進み順序情報Ｍに１をセットする。すなわち、Ｍ＝５である場合には、すべての測距点に対応する拡大領域を表示したことになるので、拡大領域の初期位置である合焦位置に対応する順序情報Ｍ＝１を設定する。
【００４５】
ステップＳ８０７において、反時計廻りであると判定された場合には、ステップＳ８０８へ進み、Ｍ＝１であるか否かの判定が行われる。Ｍ＝１でない場合には、ステップＳ８０９に進み順序情報Ｍの値が１減算された値に更新され、ステップＳ８０２、Ｓ８０３、Ｓ８０４により、新たな順序情報Ｍに対応する拡大領域がＬＣＤモニタ１６に表示される。すなわち、表示されていた拡大領域に対応する測距点での測距情報よりも合焦位置での測距情報との差が小さい測距点を含む拡大領域が表示される。ステップＳ８０８においてＭ＝１である場合には、ステップＳ８１０に進み順序情報Ｍに５をセットする。すなわち、Ｍ＝１である場合には、現在表示されている拡大領域が合焦位置に対応するので、表示されていた拡大領域に対応する測距点での測距情報よりも合焦位置での測距情報との差が小さい測距点は存在せず、合焦位置での測距情報との差が最も大きい測距点情報であるＭ＝５を設定する。
【００４６】
ステップＳ８０５において、電子ダイヤルスイッチが押されない場合は、ステップＳ８０６に進み、不図示のモード設定ボタンにより、拡大再生モードの終了が選択されたか否かの判定が行われ、終了が選択されていない場合にはステップＳ８０５に進み、終了が選択された場合にはステップＳ８１３に進み拡大再生動作を終了する。
【００４７】
以上の動作により、拡大再生モード時に最初に再生される初期位置は、合焦位置に対応する測距点を含む領域となり、また、拡大領域の切替えにより、合焦位置に近い領域から順次表示されるので、合焦位置でのピントや、合焦位置以外の被写体のボケ具合の確認を行いたい場合には速やかに確認することが可能となる。
【実施例４】
【００４８】
第４の実施の形態における電子スチルカメラは、図１の実施形態の場合と実質的には同様の構成である。
【００４９】
図１３は、本実施例の電子スチルカメラの拡大再生モード時のコマ送りに係わる動作を示すフローチャートである。つぎに、この電子スチルカメラの拡大再生モード時のコマ送りに関して動作を説明する。
【００５０】
拡大再生モード時、ステップＳ９００にて動作がスタートすると、ステップＳ９０１において、不図示のコマ送りボタンが押されたか否かを判定する。ステップＳ９０１においてコマ送りボタンが押された場合は、ステップＳ９０２へ進み、現在ＬＣＤモニタ１６に表示されている画像の次コマの画像データをメモリカード７から読み出し、画像処理回路５を介してバッファメモリ４に所定のフォーマットで展開される。次に、ステップＳ９０３において不図示のモード設定ボタンにより、拡大表示位置を保持するモードが設定されているか否かを判定する。拡大表示位置を保持するモードが設定されている場合には、ステップＳ９０４に進み、現在ＬＣＤモニタに表示されているコマにおける拡大領域と同一の領域を保持したまま、ステップＳ９０３で読み出した画像データから切り出す。ステップＳ９０３において、拡大表示位置を保持するモードが設定されていない場合は、予め初期位置として設定されている拡大領域に拡大位置情報を変更し、ステップＳ９０４に進み、ステップＳ９０３で読み出した画像データから初期位置で設定されている拡大領域を切り出す。切り出された画像データはステップＳ９０６において再生回路１５によりＬＣＤモニタ１６に表示できる信号に変換され、ステップＳ９０７において拡大画像がＬＣＤモニタ１６に表示される。次に、ステップＳ９０８において、不図示のモード設定スイッチにおいて、拡大再生モードがオフされたか否かを判定し、オフされていない場合はステップＳ９０１に進む。オフされた場合はステップＳ９０９に進み動作を終了する。
【００５１】
以上の動作により、拡大再生モードのコマ送り時に前コマの拡大領域を保持するか、予め設定されている拡大領域を表示するかを設定することが可能となり、撮影者の意図に応じたコマ送り表示が可能となる。
【００５２】
本発明は任意の拡大倍率、拡大領域に対して適用することが可能である。
【図面の簡単な説明】
【００５３】
【図１】本発明の第一の実施形態における電子スチルカメラの構成例を示すブロック図である。
【図２】本発明の第一の実施形態におけるカメラ動作を示すフローチャートである。
【図３】本発明の第一の実施形態における拡大初期位置の設定動作を示すフローチャートである。
【図４】本発明の第一の実施形態における拡大再生領域を示す図である。
【図５】本発明の第一の実施形態における再生動作を示すフローチャートである。
【図６】本発明の第一の実施形態における拡大再生動作を示すフローチャートである。
【図７】本発明の第二の実施形態における拡大再生位置設定動作を示すフローチャートである。
【図８】本発明の第二の実施形態における拡大再生領域を示す図である。
【図９】本発明の第二の実施形態における拡大再生動作を示すフローチャートである。
【図１０】本発明の第三の実施形態におけるカメラ動作を示すフローチャートである。
【図１１】本発明の第三の実施形態における拡大再生領域と測距点の関係を示す図である。
【図１２】本発明の第三の実施形態における拡大再生動作を示すフローチャートである。
【図１３】本発明の第四の実施形態における拡大再生モード時のコマ送り動作を示すフローチャートである。
【符号の説明】
【００５４】
１  撮影レンズ
２  撮像素子
３  信号処理回路
４  バッファメモリ
５  画像処理回路
６  記録回路
７  メモリカード
８  駆動回路
９  制御回路
１０  ＡＦ回路
１１  ＡＥ回路
１２  電子ダイヤル
１３  記憶手段
１４  拡大スイッチ
１５  再生回路
１６  ＬＣＤモニタ
１７ＳＥＴスイッチ
１８  レリーズスイッチ
【図１】
2005150964.tif 000003
【図２】
2005150964.tif 000004
【図３】
2005150964.tif 000005
【図４】
2005150964.tif 000006
【図５】
2005150964.tif 000007
【図６】
2005150964.tif 000008
【図７】
2005150964.tif 000009
【図８】
2005150964.tif 000010
【図９】
2005150964.tif 000011
【図１０】
2005150964.tif 000012
【図１１】
2005150964.tif 000013
【図１２】
2005150964.tif 000014
【図１３】
2005150964.tif 000015